(57)【要約】      （修正有）【課題】ピロリン酸ナトリウム・１０水和物を主成分とする相変化温度が８０℃より低い温度の蓄熱材組成物、それを用いた蓄熱体及び蓄熱装置を提供する。【解決手段】ピロリン酸ナトリウム・１０水和物を主成分とする蓄熱材組成物であって、水に溶解すると吸熱する性質を持つ材料を前記ピロリン酸ナトリウム・１０水和物とともに含んでなる蓄熱材組成物、及びこの蓄熱材組成物が容器に充填されてなる蓄熱体、これらを用いた蓄熱装置。水に溶解すると吸熱する性質を持つ材料として、尿素、硫酸アンモニウム、エリスリトールなどが好ましい。【選択図】図１
2015140363.tif 000002
【特許請求の範囲】
【請求項１】
ピロリン酸ナトリウム・１０水和物を主成分とする蓄熱材組成物であって、水に溶解すると吸熱する性質を持つ材料を前記ピロリン酸ナトリウム・１０水和物とともに含んでなる蓄熱材組成物。
【請求項２】
前記水に溶解すると吸熱する性質を持つ材料が、その溶解熱がΔHsol=0.05kJ/g以上のものを含んでなる請求項１の蓄熱材組成物。
【請求項３】
前記ピロリン酸ナトリウム・１０水和物に対する前記水に溶解すると吸熱する性質を持つ材料の割合が、0.01~30重量％である請求項１〜２のいずれかに記載の蓄熱材組成物。
【請求項４】
請求項１〜３のいずれかに記載の蓄熱材組成物が容器に充填されてなる蓄熱体。
【請求項５】
蓄熱槽中に備えられる蓄熱材組成物が請求項１〜３のいずれか１項に記載の蓄熱材組成物であることを特徴とする蓄熱装置。
【請求項６】
蓄熱槽中に備えられる蓄熱材組成物が、蓄熱体の態様で蓄熱槽中に充填されており、前記蓄熱体が請求項４に記載の蓄熱体であることを特徴とする蓄熱装置。
【請求項７】
前記蓄熱装置が、熱源機、蓄熱槽、熱輸送媒体、蓄熱モードで熱輸送媒体が流れる配管および放熱モードで熱輸送媒体が流れる配管を有する蓄熱および放熱が可能な請求項５または請求項６のいずれか１項に記載の蓄熱装置。
【発明の詳細な説明】
【技術分野】
【０００１】
本発明は、潜熱蓄熱材に関する蓄熱材組成物並びに当該蓄熱材組成物を用いた蓄熱体及び蓄熱装置に関する。
【背景技術】
【０００２】
従来から、潜熱を利用した蓄熱材は、顕熱蓄熱材に比べて蓄熱密度が高く、出力温度が一定であるという利点を活かして実用化がなされている。潜熱蓄熱材として、硫酸ナトリウム・１０水和物、酢酸ナトリウム・３水和物などが知られ、実用化されている。中でもピロリン酸ナトリウム・１０水和物は、蓄熱量が300(kJ/kg)以上と大きく、コンパクトな蓄熱材として利用することができる。
【先行技術文献】
【特許文献】
【０００３】
【特許文献１】特開2000-18723号公報
【特許文献２】特開2006-219557号公報
【特許文献３】特開2006-300492号公報
【発明の概要】
【発明が解決しようとする課題】
【０００４】
ピロリン酸ナトリウム・１０水和物は、相変化温度が８０℃であるが、家庭用コージェネレーションシステム、温泉熱、太陽熱、地熱等の回収排熱は５０℃〜８０℃程度であり、これらの蓄熱にピロリン酸ナトリウム・１０水和物をそのまま適用することができない。
化石燃料の資源減少、これを使用することによる大気汚染や自然破壊、地球温暖化などの問題から、比較的低い温度の排熱などのエネルギーが大量に放出されてしまうのを防止し、回収してエネルギー源として利用することは、極めて有用であり、要望されている。
本発明の目的は、ピロリン酸ナトリウム・１０水和物を主成分とする蓄熱材組成物において、相変化温度を８０℃（ピロリン酸ナトリウム・１０水和物の相変化温度）より低い温度、より好ましくは６０℃より低い温度に調整し、家庭用コージェネレーションシステムの排熱等の蓄熱用途に適用できる蓄熱材組成物、それを用いた蓄熱体及び蓄熱槽中に用いる蓄熱材として蓄熱材組成物を備えた蓄熱装置を提供することにある。
【課題を解決するための手段】
【０００５】
（１）前記課題を解決するため、本発明の蓄熱材組成物は、ピロリン酸ナトリウム・１０水和物を主成分とする蓄熱材組成物であって、水に溶解すると吸熱する性質を持つ材料を前記ピロリン酸ナトリウム・１０水和物とともに含んでなる組成物である。
【０００６】
（２）前記（１）項に記載の蓄熱材組成物においては、前記水に溶解すると吸熱する性質を持つ材料が、その溶解熱がΔHsol=0.05kJ/g以上のものを含んでなる蓄熱材組成物が好ましい。
【０００７】
（３）前記（１）〜（２）項のいずれかに記載の蓄熱材組成物においては、  前記ピロリン酸ナトリウム・１０水和物に対する前記水に溶解すると吸熱する性質を持つ材料の割合が、0.01~30重量％であることが好ましい。
【０００８】
（４）また、本発明の蓄熱体は、前記（１）〜（３）項のいずれかに記載の畜熱材組成物が容器に充填されてなる蓄熱体である。
【０００９】
（５）また、本発明の蓄熱装置は、蓄熱槽中に備えられる蓄熱材組成物が前記（１）〜（３）項のいずれか１項に記載の蓄熱材組成物であることを特徴とする。
【００１０】
（６）また、本発明の蓄熱装置は、蓄熱槽中に備えられる蓄熱材組成物が、蓄熱体の態様で蓄熱槽中に充填されており、前記蓄熱体が前記（４）項に記載の蓄熱体であることを特徴とする。
【００１１】
（７）  前記（５）または（６）項のいずれかに記載の前記蓄熱装置が、熱源機、蓄熱槽、熱輸送媒体、蓄熱モードで熱輸送媒体が流れる配管および放熱モードで熱輸送媒体が流れる配管を有する蓄熱および放熱が可能な蓄熱装置である。
【発明の効果】
【００１２】
本発明の蓄熱材組成物、これを含有する蓄熱体、これらを用いた蓄熱装置は、蓄熱材組成物として、蓄熱量が大きいピロリン酸ナトリウム・１０水和物を用い、その相変化温度である８０℃をより低い温度にすることができ、その結果、８０℃より低い温度の熱（排熱なども含む）を回収し、熱供給源とすることができるので、家庭用コージェネレーションシステムの排熱等の比較的低い温度の熱源からの熱の蓄熱にも適用できる蓄熱材組成物、蓄熱体ないし蓄熱装置を提供できる。
【図面の簡単な説明】
【００１３】
【図１】本発明の蓄熱材組成物である尿素を含有するピロリン酸ナトリウム・１０水和物の尿素の添加量に対するピロリン酸ナトリウム・１０水和物組成物の相変化温度を示すグラフ。
【図２】本発明の蓄熱材組成物であるエリスリトールを含有するピロリン酸ナトリウム・１０水和物のエリスリトールの添加量に対するピロリン酸ナトリウム・１０水和物組成物の相変化温度を示すグラフ。
【図３】本発明の蓄熱材組成物である硫酸アンモニウムを含有するピロリン酸ナトリウム・１０水和物の硫酸アンモニウムの添加量に対するピロリン酸ナトリウム・１０水和物組成物の相変化温度を示すグラフ。
【図４】本発明の蓄熱装置と、更に熱交換器、熱利用手段（熱負荷）部分までを含めた一態様を説明するための構成概念図。
【図５】本発明の蓄熱装置に用いる別の態様の蓄熱槽を示す概略断面概念図。
【発明を実施するための形態】
【００１４】
本発明において、ピロリン酸ナトリウム・１０水和物と混合して蓄熱材組成物とする水に溶解すると吸熱する性質を持つ材料としては、例えば、下記表１に示されるような化合物が例示される。
【００１５】
【表１】
2015140363.tif 000003
【００１６】
上記表１において、「クロロ酢酸（α）」はα型結晶のクロロ酢酸を意味し、また化合物名の後ろに記載の（液）は、この化合物が液体状態で水に溶解させた時の吸熱（溶解熱）の値であることを意味している。
【００１７】
水に溶解すると吸熱する性質を持つ材料としては、その溶解熱がΔHsol=0.05kJ/g以上のものが好ましく、ΔHsol=0.1 kJ/g以上のものがより好ましく、ΔHsol=0.15 kJ/g以上のものがさらにより好ましい。
なお、溶解熱ΔHsol（kJ/g）は、101.325kPa、298.15Kにおいて、純物質1gを水に溶解させ、無限希釈させた場合の熱量であり、この値は、化学便覧基礎編改訂５版II-261ページ（編者：日本化学会、発行元：丸善出版（株）、発行年月：２００４年２月）に記載のある化合物は、当該記載により、記載がない化合物は熱量計による測定値による。
【００１８】
これらの材料のうち、尿素、硫酸アンモニウム、エリスリトールなどが好ましく、コストが安く、溶解度が高く、高い重量比まで混合してもピロリン酸ナトリウム・１０水和物の相変化温度を降下させることができる観点から、尿素と硫酸アンモニウムがより好ましく、特に相変化温度の低下効果の点で尿素が最も好ましい。
【００１９】
水に溶解すると吸熱する性質を持つ材料の添加量については、ピロリン酸ナトリウム・１０水和物の重量に対し0.01〜30重量％が好ましく、0.1〜30重量％がより好ましく、10〜25重量％がさらにより好ましい。0.01重量％より少ない場合には、ピロリン酸ナトリウム・１０水和物の相変化温度の降下の効果が小さくなる傾向になり、30重量％より多い場合には、相変化温度の降下の効果が飽和する傾向にあるので、経済的観点から30重量％以下が好ましい。
【００２０】
本発明で用いる蓄熱材組成物を調整する方法は、特に限定されるものではないが、ピロリン酸ナトリウム・１０水和物及び水に溶解すると吸熱する性質を持つ材料、並びに必要に応じて添加される相分離防止剤、蒸気圧調整剤、伝熱促進剤、腐食防止剤、過冷却防止剤などの添加剤がなるべく均一に分散するよう混合して調整することが好ましく、より好ましくは、ピロリン酸ナトリウム・１０水和物の融点以上に加熱して、撹拌しながら水に溶解すると吸熱する性質を持つ材料、並びに必要に応じて添加される上述のような添加剤を添加して混合して調整することが好ましい。
【００２１】
必要に応じて添加される添加剤のうち、相分離防止剤としては、例えば、シリカ、キサンタンガム、イソステアリン酸塩、イソステアリルアルコール、アタパルジャイト粘土、スターチ類、アセトンなどが挙げられる。また、蒸気圧調整剤としては、例えば、エチレングリコール、グリセリンなどが挙げられる。伝熱促進剤としては、例えば、膨張化グラファイトなどが挙げられる。腐食防止剤としては、例えば、フェノール類、アミン類、ヒドロキシアミン類などが挙げられる。過冷却防止剤としては、例えば、硫酸カルシウム、ピロリン酸カルシウム、リン酸アルミニウム、リン酸銀、硫酸銀、塩化銀、ヨウ化銀などの無機塩、ステアリン酸カルシウム、ステアリン酸マグネシウム、ステアリン酸バリウム、パルミチン酸カルシウム、などの長鎖脂肪酸の有機塩などが挙げられる。
【００２２】
本発明の蓄熱材組成物は、蓄熱装置においては蓄熱槽中に配置されて用いられるが、その場合、通常、蓄熱材組成物をカプセルその他の適宜の密閉可能な容器に充填した蓄熱体の形にして用いられる。
【００２３】
蓄熱体の形状、大きさは、蓄熱材組成物を充填する容器の形状や大きさに依存するが、比較的小型の蓄熱体のカプセルの場合、球形、楕円球形、直方体、立方体、角柱形、円柱形、多面体などで、特に限定するものではないが、好ましくは最短部分の径が１ｃｍ以上、最長部分の径が１０ｃｍ以下の範囲の大きさが目安となる。形状や大きさが異なるカプセル使用の蓄熱体を２種以上併用して用いてもよい。
【００２４】
比較的小型のカプセルでなく、長い棒状とか長い板状の外形をした容器に蓄熱材組成物を充填して用いてもよい。この場合、長さは、蓄熱装置において用いる蓄熱槽の大きさに応じて適宜の長さとすればよく、長い棒状の場合の太さ、長い板状の厚さは、特に限定するものではないが１ｃｍ以上１０ｃｍ以下の範囲が目安となる。
【００２５】
そのほか、蓄熱材組成物を充填する容器に関しては、特開２００６−２１９５５７号公報、特開平１０−１５３３９２号公報、特開平９−１５２２８６号公報、特開平８−９４２６９号公報、特開昭５９−２７１９２号公報、実開昭５８−１７６号公報などに開示された蓄熱容器などが挙げられる。
【００２６】
蓄熱材組成物を充填する容器の素材も、使用環境下で熱輸送媒体に溶解して消失したりせず、使用環境温度に耐え得る程度の耐熱性を有する素材など、使用温度範囲で蓄熱材組成物を封入した状態を保持できる材質で断熱性が特に大きくないものであれば特に制限はなく、通常、金属やプラスチックが用いられ、金属としては、ステンレススチール、銅、鉄、アルミニウムなど、プラスチックとしては、高密度ポリエチレン、ポリプロピレン、ポリエチレンテレフタレート、フッ素樹脂、フェノール樹脂などが挙げられるが、これらに限定されるものではない。
【００２７】
本件特許発明の蓄熱体は、蓄熱槽に充填して使用するが、例えば、図４に示す蓄熱槽のように、カプセルタイプの蓄熱体を多数収容した蓄熱槽、図５や、特開２００４−１０８７６１号などに示された長い棒状や板状の蓄熱体複数本を配置収容した蓄熱槽などに収容されて使用される。
【００２８】
次に、本発明の蓄熱装置は、蓄熱槽中に備えられる蓄熱材組成物が本発明の蓄熱材組成物であることを特徴とする蓄熱装置であれば、各種の公知の蓄熱装置の態様が採用でき、本発明の目的が達成できない場合を除いて特に制限はない。
【００２９】
また、本発明の蓄熱装置は、蓄熱槽中に備えられる蓄熱材組成物が、蓄熱体の態様にして蓄熱槽中に充填されており、前記蓄熱体が前記に記載の本発明の蓄熱体であることを特徴とする蓄熱装置であれば、各種の公知の蓄熱装置の態様が採用でき、本発明の目的が達成できない場合を除いて特に制限はない。
【００３０】
また、本発明の蓄熱装置は、より詳細には、熱源機、蓄熱槽、熱輸送媒体、蓄熱モードで熱輸送媒体が流れる配管および放熱モードで熱輸送媒体が流れる配管を有する蓄熱および放熱が可能な蓄熱装置において、蓄熱槽中に備えられる蓄熱体に充填された蓄熱材組成物が前記本発明の蓄熱材組成物からなる。
【００３１】
以下に、本発明の蓄熱装置の一例を、図４を用いて説明する。図４は本発明の蓄熱装置と、更に熱交換器、熱利用手段（熱負荷）部分までを含めた一態様を説明するための構成概念図である。
【００３２】
本発明の蓄熱槽１には、熱輸送媒体が通過し得る支持板9の上部に蓄熱材組成物が充填された球形のカプセル型の蓄熱体２が充填されており、蓄熱モードで熱輸送媒体が流れる配管６（６ａ、６ｂ）は、蓄熱槽１から熱源機３を介して蓄熱槽１に戻るよう配置されている。蓄熱槽１から熱源機３に熱輸送媒体が流れる配管が６ａ、熱輸送媒体が熱源機３から蓄熱槽１に戻るよう流れる配管が６ｂである。
【００３３】
一方、放熱モードで熱輸送媒体が流れる配管８（８ａ、８ｂ）は、蓄熱槽１から熱交換器４を介して蓄熱槽１に戻るよう配置されている。蓄熱槽１から熱交換器４に熱輸送媒体が流れる配管が８ａ、熱交換器４で放熱された熱輸送媒体が蓄熱槽１に戻るよう配置されている配管が８ｂであり、７ａと７ｂは、蓄熱モードで熱輸送媒体を蓄熱槽１から熱源機３を介して蓄熱槽１に戻るように蓄熱モードで熱輸送媒体を流す場合と、放熱モードで蓄熱槽１から熱交換器４を介して蓄熱槽１に戻るように、蓄熱モードの場合とは熱輸送媒体が蓄熱槽１を逆方向に流す場合とを切り替えるための三方コックである。
【００３４】
蓄熱モードの場合、熱源機３で熱輸送媒体に蓄熱し、蓄熱された熱輸送媒体は、配管６ｂを通り、蓄熱槽１に入り、蓄熱槽１に充填されている蓄熱体２中の本発明の蓄熱材組成物に放熱することにより蓄熱体２中の本発明の蓄熱材組成物に蓄熱する。かくして、放熱された熱輸送媒体は、配管６aから熱源機３に戻り、蓄熱槽１中の蓄熱材組成物が必要な程度に蓄熱される（通常、蓄熱材組成物の固液相変化を進行させる）まで同じ経路を循環する。蓄熱槽１中の蓄熱材組成物が必要な程度に蓄熱された場合、三方コック７ａと７ｂを切り替えて放熱モードにする。放熱モードでは、配管８ｂから蓄熱槽１に流れた熱輸送媒体が蓄熱モードで蓄熱された蓄熱槽１中の蓄熱材組成物が充填されている蓄熱体からの熱移動により加熱され、配管８ａを通り本発明の蓄熱装置外部の熱交換器４で熱移動され暖房や、給湯、その他の熱負荷（熱利用手段５）に利用される。１１aと１１ｂは、熱交換器４から熱利用手段５への熱媒体を循環するための配管である。尚、蓄熱槽１において１０は蓄熱体の充填されていない部分である。この部分は必要に応じて設ければよく、支持板９なしにして、この部分まで蓄熱体が充填されている態様としてもよい。また、熱輸送媒体や、熱交換器４から熱利用手段５への熱媒体の循環に必要なポンプは、図示していないが、これらの媒体の必要な流れを達成できればよく、ポンプを設ける必要がある配管の適宜の位置に設置すればよい。
【００３５】
なお、図示していないが、図４において、熱交換器４を設けずに、放熱モードで熱輸送媒体が流れる配管８（８ａ、８ｂ）を、直接、熱利用手段５に接続した態様、あるいは、例えば特開２００６−２９２２０６号公報に示される如く、放熱モードの熱輸送媒体を直接給湯などとして利用する態様としてもよいことはもちろんである。
【００３６】
また、配管については、図４に示した蓄熱装置については、三方コック７ａと７ｂと蓄熱槽１をつなぐ部分の配管を蓄熱モードでも放熱モードでも配管を共通にし、蓄熱モードや放熱モードに応じて三方コック７ａと７ｂを、切り替える態様の装置を図示しているが、熱輸送媒体が流れる配管を蓄熱モード専用の配管と放熱モード専用の配管をそれぞれ蓄熱槽１に別々に接続するような、別々の配管としてもよい。この場合には、二方コックを、それぞれの配管の蓄熱槽１との接続近傍、すなわち図４の蓄熱槽１の上下方向を基準に説明すると、蓄熱モード専用の配管や放熱モード専用の配管の蓄熱槽１との上側の接続近傍と下側の接続近傍それぞれに設ければよい。すなわち、蓄熱モード専用の配管の蓄熱槽１の上側に接続する配管に１つ、下側に接続する配管に１つ、放熱モード専用の配管の蓄熱槽１の上側に接続する配管に１つ、下側に接続する配管に１つの少なくとも計４つのコックを設けて、蓄熱モードでの運転の際は蓄熱モード専用の配管に設けられた上記２つの二方コックを開き、放熱モード専用の配管に設けられた上記２つの二方コックを閉じ、また、放熱モードでの運転の際は蓄熱モード専用の配管に設けられた上記２つの二方コックを閉じ、放熱モード専用の配管に設けられた上記２つの二方コックを開くことになる。
【００３７】
本発明の蓄熱装置については、配管は、上述したような機能を達成する蓄熱モードで熱輸送媒体が流れる配管および放熱モードで熱輸送媒体が流れる配管を有していれば、本発明の目的を達成できる限り、必要に応じて、特開２００６−２９２２０６号に示されるような、バイパス管や、熱源側補助タンク、熱負荷（熱利用手段）側補助タンクなどを設けてもよい。
【００３８】
次に、図５に上記図４に示した蓄熱槽１とは異なる態様の蓄熱槽の態様を示す概略断面概念図を示した。すなわち図５では、蓄熱槽１中に充填されている蓄熱体の形状が、球形でなく、板状、ないし、棒状の外形の容器中に本発明の蓄熱材組成物が充填された態様の蓄熱槽である。
【００３９】
蓄熱槽１に設置される蓄熱体２２が板状、ないし、棒状の外形の容器中に本発明の蓄熱材組成物が充填されており、蓄熱体位置固定具２３で各蓄熱体２２同士の間に熱輸送媒体が流通する通路を確保するよう蓄熱体２２を保持し、蓄熱体２２の下部には、熱輸送媒体が通過し得る支持板9を設けている。配管や熱源機、熱交換器、熱利用手段は、図４と同様であり、蓄熱槽１に設置される蓄熱体２２の形状が異なる以外、図４を用いて説明したと同様の蓄熱装置とすることができ、同様に、蓄熱モードと放熱モードを切り替えて運転し、熱利用手段に熱を供給することができる。
【００４０】
以上、図示した態様以外に、本発明の蓄熱装置は、蓄熱槽中に備えられる蓄熱体に充填された蓄熱材組成物が前記本発明の蓄熱材組成物からなる蓄熱槽を有する蓄熱装置であれば、上記具体的に示した態様に限定されるものではなく、本発明の目的が達成される限り、各種の別態様としてもよい。
【００４１】
なお、熱源機に供給される熱の熱源としては、特に限定するものではないが、家庭用コージェネレーションシステム（“エコウィル”、“エネファーム”、それらで使用される燃料電池など）の排熱、ヒートポンプからの排熱、その他の比較的低い温度のものを熱源とすることが可能である。支障がない限り、より高温の熱源を使用してもよいことはもちろんである。
【００４２】
蓄熱材組成物が凝固するときに発せられる熱の利用手段としては、即ち温熱負荷としては、特に限定されるものではないが、暖房、給湯その他各種の熱を利用する装置などに適用できる。
【００４３】
熱輸送媒体としては、蓄熱装置に使用される熱輸送媒体であれば特に限定されるものではないが、代表例としては、水、エチレングリコール水溶液あるいはプロピレングリコール水溶液などの不凍液などが挙げられる。尚、必要に応じて、支障をきたさない範囲で、蓄熱モードで使用される熱輸送媒体と放熱モードで使用される熱輸送媒体を異なる種類のものとすることも可能である。
【実施例】
【００４４】
本発明の蓄熱材組成物として、図１〜図３に各種添加剤の添加量に対するピロリン酸ナトリウム・１０水和物の相変化温度を示す。これらより、水に溶解すると吸熱する性質を持つ材料である尿素（ΔHsol=0.26kJ/g；ΔHsol=0.15kJ/g以上の物質例）、エリスリトール（ΔHsol=0.18kJ/g；ΔHsol=0.15kJ/g以上の物質例）、硫酸アンモニウム（ΔHsol=0.05kJ/g；ΔHsol=0.05kJ/g以上の物質例）をそれぞれピロリン酸ナトリウム・１０水和物に添加したところ、添加物が水和水に溶解する際に吸熱するため、添加量に応じて相変化を降下させることが可能となった。
【００４５】
図１〜図３において、各添加物の添加量がピロリン酸ナトリウム・１０水和物の重量に対し１０重量％の時の相変化温度を抜粋したものを表２にまとめた。
【００４６】
尚、ピロリン酸ナトリウム・１０水和物と添加物との混合は、ピロリン酸ナトリウム・１０水和物を９０℃〜１００℃に加熱して溶融した状態で、撹拌しながら、添加物粉末を所定量添加し、均一に添加物をピロリン酸ナトリウム・１０水和物に分散させたのち、常温にまで冷却して本発明の蓄熱材組成物を作成した。
【００４７】
【表２】
2015140363.tif 000004
【００４８】
これより、添加剤の溶解熱に応じて、ピロリン酸ナトリウム・１０水和物の相変化温度を下げる効果が発揮されることが分かる。しかるに添加剤の溶解熱（ΔHsol ）が0.05 kJ/g以上が好ましく、0.1 kJ/gがより好ましく、0.15 kJ/gがさらにより好ましい。
【００４９】
また、図１〜３に示すとおり、添加剤の添加量が増加するにつれ、相変化温度を下げる効果も増していく傾向にあるが、30重量％より多く加えた場合、その効果は飽和する傾向にあるので30重量％より多く添加しても経済的観点等から無駄である。しかして、添加剤の添加量については、0.01~30重量％が好ましく、0.1~30重量％がより好ましく、10〜25重量％がさらにより好ましい。
【００５０】
これにより、コージェネレーションシステム等の排熱など比較的低い温度の熱の蓄熱用途に適用できる蓄熱材組成物を提供することができた。
【産業上の利用可能性】
【００５１】
本発明の蓄熱材組成物は、蓄熱装置の蓄熱槽に備えられる蓄熱材組成物として使用できる。本発明の蓄熱体は、蓄熱装置の蓄熱槽中に配置される蓄熱体として使用できる。本発明の蓄熱装置は、家庭用コージェネレーションシステムの排熱、ヒートポンプからの排熱、その他の比較的低い温度のものを熱源とすることも可能であり、暖房、給湯その他各種の熱を利用する装置などに適用できる。
【図１】
2015140363.tif 000005
【図２】
2015140363.tif 000006
【図３】
2015140363.tif 000007
【図４】
2015140363.tif 000008
【図５】
2015140363.tif 000009